(57)【要約】【課題】  組み立ておよび操作が簡単な消費者向けの電子システムを提供する。【解決手段】  携帯用モジュール式電子システムは、携帯用モジュール式電子システムを形成するように相互に取り付け可能かつ取り外し可能である個別のハウジングに収納された複数の携帯用モジュール（２、８、１０、１２）と、モジュール同士が取り付けられるとモジュール間の電気的接続をもたらすモジュール上の個々の電気コネクタ（２２）であって、モジュール間の複数の異なる相対的な向きについてモジュール間の電気的接続を確立する対称性をそれぞれ有する電気コネクタ（２２）とを備える。【選択図】      図１
2004327435.tif 000002
【特許請求の範囲】
【請求項１】
携帯用モジュール式電子システムを形成するように相互に取り付け可能かつ取り外し可能である個別のハウジングに収納された複数の携帯用モジュールと、
前記モジュール同士が取り付けられるとモジュール間の電気的接続をもたらす前記モジュール上の個々の電気コネクタであって、前記モジュール間の複数の異なる相対的な向きについて前記モジュール間の電気的接続を確立する対称性をそれぞれ有する電気コネクタとを備えることを特徴とする携帯用モジュール式電子システム。
【請求項２】
前記コネクタは、相互に離間した導電性リングを内部に有するバネ付勢された誘電プラグを含むことを特徴とする請求項１に記載の携帯用モジュール式電子システム。
【請求項３】
隣接するモジュールの前記プラグは、互いに対してバネ付勢されており、前記モジュール同士が互いに取り付けられると前記モジュール間の電気的接続を確立することを特徴とする請求項２に記載の携帯用モジュール式電子システム。
【請求項４】
前記プラグの前記リングの内側に個々の中心導体をさらに備えることを特徴とする請求項２に記載の携帯用モジュール式電子システム。
【請求項５】
前記モジュールの少なくともいくつかは、前記電気コネクタを両側に含むことを特徴とする請求項１に記載の携帯用モジュール式電子システム。
【請求項６】
前記電気コネクタを両側に有するモジュールは、互いに取り付けられるとシステムの軸を確立し、前記少なくともいくつかのモジュールの前記電気コネクタは前記軸を中心とすることを特徴とする請求項５に記載の携帯用モジュール式電子システム。
【請求項７】
前記モジュールは、コントローラと、メモリと、少なくとも１つのアプリケーションモジュールとを含むことを特徴とする請求項１に記載の携帯用モジュール式電子システム。
【請求項８】
携帯用モジュール式電子システム用のモジュールであって、
ハウジング内のモジュール電子回路と、
前記ハウジングの第１の壁から外側へ突出するようにバネ付勢されており、２つのモジュールが機械的に接続されると他方のモジュールの電気コネクタと係合する第１の電気コネクタであって、前記モジュール電子回路に電気的に接続される、第１の電気コネクタと、
を備えることを特徴とするモジュール。
【請求項９】
軸を有し、前記第１の電気コネクタは該軸を中心に対称であることを特徴とする請求項８に記載のモジュール。
【請求項１０】
前記ハウジングの第２の壁から外側へ突出するようにバネ付勢されており、２つのモジュールが機械的に接続されると他方のモジュールの電気コネクタと係合する第２の電気コネクタであって、前記モジュール電子回路に電気的に接続される第２の電気コネクタをさらに備えることを特徴とする請求項８に記載のモジュール。
【発明の詳細な説明】
【技術分野】
【０００１】
本発明は、電子システムに関し、特にモジュール間に対称な接続部を有する携帯用モジュール式電子システムに関する。
【背景技術】
【０００２】
多数のプロセッサ制御式電子応用機器（「アプライアンス」とも呼ばれる）、例えば、携帯用デジタルＭＰ３のオーディオプレーヤ、デジタルスチルカメラまたはビデオカメラ、デジタルボイスレコーダおよび個人情報端末（ＰＤＡ）が開発されている。これらの応用機器には、操作するためにパーソナルコンピュータ（ＰＣ）につながなければならないものと、独立型の携帯機器とがある。例えばＭＰ３プレーヤは、内蔵ハードドライブメモリを備えており、持ち運び可能である。しかしながら、そのような携帯機器であっても、ＰＣが介在することなく他の応用機器と接続することはできず、機器自体の用途は１つに限られている。
【０００３】
携帯用データ記憶装置、例えば、コンピュータのＵＳＢ（ユニバーサルシリアルバス）ポートにつなぐと自動的に取り外し可能なドライブとして検出されるプラグアンドプレイユニットも入手可能である。これは、ハードディスクドライブに対してデータの読み出し、書き込み、コピー、削除、および移動を行うために用いることができ、ＭＰ３ファイルを再生し、アプリケーションを実行し、ビデオを閲覧することができる。しかしこのプラグ＆プレイユニットは、記憶容量が限られており、コンピュータにつながなければならないためシステム全体では持ち運びできない。
【０００４】
携帯用ハンドヘルドコンピュータのなかには、底部にコネクタがあり、消費者が様々な応用機器、例えばカメラ、全地球測位システム（ＧＰＳ）受信機、バーコードスキャナ、レコーダまたはモデムをスナップオンすることが可能になっているものもある。しかしながら、これらのハンドヘルドコンピュータに接続できる応用機器は１度に１つのみに限られており、応用機器をコンピュータに対して位置決めする方法は１つしかない。
【０００５】
一対の冗長ハードドライブに関連付けられたコントローラ、例えばＲＡＩＤ（工業規格のＤＩＭＭ（デュアルインラインメモリモジュール）による冗長配列）システムも既知である。しかしながら、かかるシステムはやはり持ち運びできない。ＭＰ３プレーヤ等の携帯用応用機器とともに用いる場合、応用機器をコントローラ／メモリの組み合わせに接続しなければならないため、携帯性が失われる。
【発明の開示】
【発明が解決しようとする課題】
【０００６】
消費者向けの電子システムは、組み立ておよび操作が簡単であることが重要である。異なる応用機器についてシステムを構成する上で消費者に選択肢が与えられる場合、システムはその設計にある程度の柔軟性を持ち、専門家でない様々な消費者による様々な組み立て方法を許容できることが非常に望ましい。
【課題を解決するための手段】
【０００７】
本発明の１実施形態は、携帯用モジュール式電子システムを形成するように相互に取り付け可能かつ取り外し可能である個別のハウジングに収納された複数の携帯用モジュールを有する携帯用モジュール式電子システムを含む。モジュール上の電気コネクタは、モジュール同士が取り付けられるとモジュール間の電気的接続をもたらす。電気コネクタはそれぞれ、モジュール間の複数の異なる相対的な向きについてモジュール間の電気的接続を確立する対称性を有する。
【０００８】
１実施形態のモジュールは、ハウジングと、当該ハウジング内のモジュール電子回路と、ハウジングの壁から突出するようにバネ付勢されており、２つのモジュールが機械的に接続されると他方のモジュールの同様のコネクタと係合する電気コネクタとを備え、当該コネクタは、モジュール電子回路に電気的に接続される。
【０００９】
本発明の上記および他の特徴および利点は、当業者が以下の発明を実施するための最良の形態を添付図面とともに考慮すれば明らかであろう。
【発明を実施するための最良の形態】
【００１０】
本発明の実施形態は、消費者が携帯用モジュール式電子システムをただ１つの応用機器で、あるいはいくつかの異なる応用機器とともに組み立てることができ、モジュールの組み立て時にモジュールの相対的な向きの変化を許容する携帯用モジュール式電子システムを提供する。訓練を受けていない消費者が、システムを特定の１つの向きに限定することなく様々な応用機器に合わせることが非常に容易である。これにより、様々な訓練を受けていない人々がシステムのモジュールを様々な方向に向けることができるため、「消費者にとっての使い易さ」の度合が増す。
【００１１】
そのようなシステムの一例を図１に示す。このシステムは、一対の独立した冗長メモリ４および６を含むメモリモジュール２と、コントローラモジュール８と、少なくとも１つのアプリケーションモジュール（図中では一対のアプリケーションモジュール１０および１２を示す）とからなる。コントローラモジュール８は、メモリモジュール２とアプリケーションモジュール１０、１２との間のデータフローを制御する。任意の都合の良い機械コネクタ機構により様々なモジュール同士を接続してハンドヘルドの一体型スタックにすることができ、例えば連結具１４が、隣接するモジュールの対向する凹部１６に嵌まって、この連結具の開口部を通り、モジュールの、位置関係が調整されたタップ付き穴２０へと延びるネジ１８を用いてモジュール同士を結合する。図１では連結具１４を１つだけ示すが、対向する一対のモジュール凹部毎に追加の連結具または他のコネクタ機構が設けられる。
【００１２】
モジュール間の電気的なつながりは、隣接するモジュールの対向する面にある互いに位置関係が調整された電気コネクタ２２によって提供される。図中では、コントローラモジュールおよびアプリケーションモジュールの目に見える左側の面の電気コネクタのみが示されているが、反対側の面に追加のコネクタが設けられる。本実施形態において、メモリモジュール２は末端部モジュールとして設計されているため、電気コネクタは、コントローラモジュール８と向かい合うように示される面にのみ設けられる。この例では個々のメモリユニット４および６が各自の電気コネクタを有し、各電気コネクタはコントローラモジュール８の対応する電気コネクタと位置関係が調整されている。したがってコントローラモジュールは、メモリモジュール２と向かい合う左側面に一対の電気コネクタ２２を有し、第１のアプリケーションモジュール１０と向かい合う右側面に１つの電気コネクタを有する。
【００１３】
電気コネクタ２２は、２本の電源ラインと２本のデータラインを持つ標準ＵＳＢ形式とすることができる。これらの様々なラインは、３つの同心導電性リング２２ａ、２２ｂ、２２ｃおよび１つの中心導体２２ｄとして実施されるのが好ましく、そのリングおよび中心導体は、２つのモジュールを結合すると、隣接するモジュールの電気コネクタの対応するリングおよび中心導体と係合する。同心リングは積層モジュールの軸２４を中心に対称であり、様々なモジュールがそれぞれこの軸を中心とした任意の所望の回転方向で、システムの機能性を損なうことなく組み立てられるようになっている。メモリモジュールおよびコントローラモジュールの向かい合う電気コネクタの対もまた、それぞれのモジュール上で対称的に配置されており、それによって、これら２つのモジュールが互いに対して１８０°向きを変えられ、それでも対向する電気コネクタ間の位置関係を保つことが可能である。本実施形態の電気コネクタは各々のモジュールと一体形であり、隣接するモジュール間の電気的接続は、モジュール同士が機械的に接続されるように位置決めされるまで確立されないため、システムの携帯性は向上する。
【００１４】
この柔軟な位置関係調整システムにより、普段あまり使わない消費者が、個々のモジュールを組み立てて全体的な携帯用ハンドヘルドシステムにすることが非常に容易になる。様々なモジュールが上向きか下向きかは問題にならない。なぜなら、モジュールの電気コネクタはそれでもなお隣接モジュールとの接続を確立するからである。ユニバーサル機械コネクタであれば、連結具１４により可能となる１８０°の向きの変更ではなく、軸を中心とした任意の回転角度でアプリケーションモジュールの向きを変え、一方、それでも、必要とされるモジュール間の電気的接続を保つことが可能になる。さらにアプリケーションモジュールは、他のモジュールと機械的に接続させる前に垂直軸２５を中心として１８０°回転させ、図１に示す左右の面の位置を逆転させることができる。これにより、アプリケーションモジュール１０の右側の面の電気コネクタ２２がコントローラモジュール８のコネクタと接触することになるが、後述するように、各アプリケーションモジュールの対向する電気コネクタ同士は、このモジュールを貫通する共通バスによって接続し、２つのコネクタ間の電気的な差をなくすことができる。
【００１５】
スタック内におけるアプリケーションモジュール１０および１２の位置も逆転させることができる。これらを接続すると、電気コネクタ２２および各アプリケーションモジュールを通る内部バスが事実上、そのアプリケーションモジュールの列に対して単一の共通バスを形成し、コントローラモジュール８は、アプリケーションモジュールおよびコントローラモジュールに事前に格納されるデジタルコードを用いて任意の所望のアプリケーションモジュールと通信できるようになる。したがって、コントローラモジュールからアプリケーションモジュールへ送られる信号の先頭には、信号の宛先となるモジュールのコードを付し、信号を実際に処理するのはそのモジュールのみであるようにする。戻り信号も同様に符号化され、プロセッサモジュールが、信号の発信元であるアプリケーションモジュールを識別し、他のモジュールがその信号で動作しないように指示できるようにする。
【００１６】
冗長メモリ４および６は好ましくはハードドライブであるが、フラッシュメモリ、または所望の容量、携帯用システムにおける移動に対する保護、およびコントローラモジュールとの互換性を持つ任意の他の携帯用メモリデバイスとすることもできる。このシステムは、冗長性が必要でない場合に１つのメモリユニットのみで実施することも、２つ以上の冗長メモリで実施することもできる。
【００１７】
複数のメモリは大量データ記憶の冗長性を提供し、一方のメモリが故障または損なわれるときに他方のメモリが引き継ぐことができる。これらのメモリは、コントローラモジュールにより従来のマスタ−スレーブ方式で動作し、一方のメモリユニットが主記憶装置の機能を果たし、他方がバックアップの機能を果たす。これらのメモリは、好ましくは同一のデータを格納するため、コントローラモジュールにいずれのメモリ位置でも接続することができる。一方のメモリユニットが故障した場合、これは必要なときに単にシステムから分離されて新しいユニットと交換され、コントローラモジュールが、残りのメモリユニットに格納されているデータを新しいユニットにコピーする。メモリユニット４、６は、別個の組の連結具１４によってコントローラモジュール８に接続され、個別に交換できるようになっている。
【００１８】
コントローラモジュール８は通常、ディスプレイ２６、および消費者が所望のコマンドを入力できるユーザインタフェースパッド２８を含む。コントローラには通常、電気コネクタ２２および内部モジュール回路が提供する電源バスを介してシステムの全てのモジュールに電力を供給するバッテリコンパートメントも提供される。外部電源用の電源ポート３０を設けることもできるが、携帯用途のシステムは通常、システム自体のバッテリ（複数可）で動作する。
【００１９】
任意の所望数のアプリケーションモジュールをスタックに統合することができ、また、上述のようにモジュールの向きには非常に大きな柔軟性がある。これにより、データを易可搬性の場所に格納し、複数のアプリケーションによりアクセス可能とすることができる。電気コネクタとは別個の種々のストラップ、クランプおよびファスナをモジュール間の機械的接続に用いることができる。様々なモジュールが内部に設けられる外部ハウジングに調節可能なエンドプレート等を設けることもでき、このエンドプレートは、隣接するモジュールの電気コネクタが互いに接触した状態でモジュール同士を結合する。しかしながら、これはより扱いにくく柔軟性が低い。
【００２０】
本システムの利点の１つは、機能ばかりでなくシステムの軸２４に沿った寸法も異なる複数のアプリケーションモジュールを接続できることである。他の方向のモジュール寸法も異なり得る。コネクタ２２をそれぞれのモジュールの面の中心に置くように保つことで、本システムは、将来に開発される可能性のある小型または異なる形状のモジュールを組み込むことができる。
【００２１】
コントローラのデータレートは通常、いずれのアプリケーションのデータレートよりも速いため、単一のコントローラモジュールで複数のアプリケーションモジュールを同時に実行することが可能である。アプリケーションモジュールは、バッファを用いてコントローラデータを格納してもよい。
【００２２】
２つの独立した冗長メモリユニット４ａおよび６ａが共通のメモリモジュールハウジング２ａ内にある、代替的なモジュール式システムを図２に示す。これら２つのメモリユニットは、個別にハウジングから取り外して交換することができる。電気コネクタ２２はシステムの軸に沿ってハウジングの各面に１つだけ設けられ、各メモリユニット４ａおよび６ａは、このモジュールを通じ対向する電気コネクタ間で貫通する共通のデータバスおよび電源バスに接続される。コントローラモジュール８ａは２つのメモリユニットを、各ユニットに関連付けられた従来の識別コードにより区別する。
【００２３】
メモリモジュール２ａは、両側の各面に電気コネクタ２２を１つしか有さないためスタック中の任意の所望の場所に配置することができ、図１に示すような末端の場所に限定されない。それどころかメモリモジュール２ａは、コントローラモジュール８ａとアプリケーションモジュール１０の間に配置されて示される。コントローラモジュールは、メモリモジュールと接続するために１つの電気コネクタしか使用しないため、その両側の面の電気コネクタもシステムの軸を中心とし、コントローラモジュールも同様にスタック中の任意の都合の良い場所に位置決めされることを可能にしている。図２に示されるように、コントローラモジュール８ａはスタックの末端にあって、その電気コネクタの一方はメモリモジュール２ａと位置関係が調整され、反対側の面の電気コネクタは露出している。露出したコネクタは、必要に応じてキャップで覆うか、あるいは別のアプリケーションモジュールをこのコントローラモジュールの側面に接続することができる。コントローラモジュールは、接続されたモジュールを貫通する共通のデータバスおよび電源バスを介して全ての他のモジュールと通信し、異なる各モジュールをそれぞれの識別コードで識別するため、スタックは、様々なモジュールを任意の位置にして組み立てることができる。これにより、初心者である消費者が使用することが非常に容易になる。特定のアプリケーションモジュールが不要となった場合、これは単にスタックから取り外すことができる。不要なモジュールがスタック中で中間位置を占めている場合、そのモジュールを両側のモジュールから切り離して取り出し、残りのモジュールを元通り接続する。新しいアプリケーションモジュールが必要であれば、当該モジュールを既存のスタックのいずれかの端部に接続すること、または２つのモジュールを分離して新しいアプリケーションモジュールをその間に挿入し、それらのモジュールを新しいアプリケーションモジュールに接続し直すことによって簡単に追加できる。コントローラモジュールおよびメモリモジュールを所望のアプリケーションモジュールに一旦接続してしまえば、これらのモジュールは単一の装置のように動く。
【００２４】
電気コネクタを有するアプリケーションモジュール１０の簡略断面ブロック図を図３に示す。このモジュールは、外部ハウジング３２を含み、このハウジングの両側の壁の開口部を通って電気コネクタ２２が、外側ハウジング表面をわずかに越えて突出しており、この突出は通常、最大約１ｍｍであるが、変更することもできる。このコネクタ構成により、モジュールは、他のモジュールと組み立てて直線状のスタックとすることができる。何らかの理由でモジュールの直線状でない組み立て体が望まれる場合、コネクタ２２の一方または両方をモジュールの異なる壁および／またはさらに別の壁に配置することもできる。
【００２５】
モジュールの電子回路は包括的にブロック３４で示される。この電子回路は、当該モジュールを他のアプリケーションモジュールと識別するプログラムされた識別コードを含む。導電体または光バスであり得るデータバス３６および電源バス３８は、対向するコネクタ２２の対応する導電性リングおよび中心導体間でモジュール内部を貫通して延びる。標準ＵＳＢ構成では２つのデータバスおよび２つの電源バスが含まれるが、簡略化のためにそれぞれ１つのみを示す。モジュール電子回路は、タップ４０および４２においてデータバスおよび電源バスから信号線を引き出して、コントローラモジュールおよびアプリケーションモジュールのユーザインタフェースの制御下で電力を供給するとともに、メモリモジュールとの双方向通信を可能にする。任意の他のアプリケーションモジュール内の電子回路は同様にデータバスおよび電源バスから信号線を引き出し、これらのデータバスおよび電源バスは、アプリケーションモジュールの全てを貫通して（また図２の実施形態ではコントローラモジュールおよびメモリモジュールを貫通して）途切れることなく電気的に延びる。
【００２６】
コネクタ２２は、導電性リング２２ａ、２２ｂ、２２ｃおよび中心導体２２ｄが設けられるプラスチックまたは他の誘電プラグにより実施され、この時、プラグはバネ付勢によって、モジュールハウジング３２の境界をわずかに越えて突出する非作動位置に機械的に付勢され得る。外周がハウジングの内側、中央部がコネクタプラグに取り付けられて当該プラグを外側へ付勢する柔軟性のある弾性ウェブ４４により好適なバネ付勢を得ており、プラグの周囲にある止め具４６がプラグのハウジング外部への移動を制限する。ハウジング３２が隣接するモジュールのハウジングに突き合たると、対向するコネクタプラグが互いにそれぞれのモジュール内へ押し戻し合い、遂にコネクタプラグの外面は、当該プラグが突出する壁と略同一平面になり、ウェブ４４のバネ力がプラグを外側へ付勢して、他方のモジュールの係合コネクタに押し付ける。よって２つのモジュール間にしっかりした電気接点が確立される。
【００２７】
コネクタプラグ２２の１実施形態の斜視図を図４に示す。導電性リング２２ａ、２２ｂ、２２ｃは丸い円筒であるため、隣接するモジュール間のシステムの軸を基準とした回転角度を任意の角度として当該モジュール同士を位置決めすることを可能にする３６０°の対称性をなす。実際には、図１および図２のモジュールハウジングの矩形断面の場合、連続する各モジュール対のシステムの軸を中心とした回転方向は交互に１８０°に制限され、正方形の断面の場合、モジュール間の角度方向は９０°単位に制限される可能性があるが、このような制限はハウジングの形状によるものであり、ハウジングの形状に関係なく無制限の回転方向を可能にする対称コネクタによるものではない。ハウジングに円形断面を与えれば、モジュール間において、無制限の相対的な回転方向の変化が可能になる
図５は、コネクタプラグ２２のバネ付勢の代替的な形態を示し、この形態ではコイルバネ４８が、プラグの止め具４６と、ハウジング３２の壁から延びるフランジ５０との間に係止される。フランジ中央の開口部５２は、プラグと内部のモジュール電子回路との間をコネクタワイヤまたは光信号が通ることを可能にする。他の形態のバネ付勢、例えば片持ちバネを用いることもできる。
【００２８】
図６は、正方形断面を有するコネクタプラグ５４と、それに対応する正方形導電性リング５８を示し、図７は、楕円形断面を有するコネクタプラグ５６と、それに対応する楕円形導電性リング６０を示す。図４の円形断面のプラグと同様、導電性リングおよび中心導体は金メッキされることが好ましい。図６の正方形の構成の場合、隣接するモジュール間の相対的な角度方向には９０°の変化が可能であり、一方で図７の楕円形プラグの場合、１８０°の変化が可能である。
【００２９】
図８は、一連のモジュール６２ａ、６２ｂ、６２ｃ、６２ｄを上述の主軸６４に沿って結合させ、１つまたは複数の追加モジュール６６ａ、６６ｂを主軸モジュール６２ｂに横軸に沿って結合させた変形形態を示す略図である。このために、モジュール６２ｂには、主軸６４に平行なハウジング壁を貫通して追加のコネクタ６８が設けられている。これらの追加モジュールは、モジュール６６ａについて示すようにコネクタを１つだけ有するか、モジュール６６ｂについて示すように複数のコネクタを有して、さらなるモジュールを主軸６４から外れて接続できるようにしてもよい。本システムは柔軟性があり、多数のモジュールに多くの異なる幾何学的構成で対応するように設計することができる。
【００３０】
上述したモジュール式システムは、特定の向きを気にせずに可変数の電子応用機器を一体化して１つの携帯用ハンドヘルドシステムにすることを可能にする。本発明の特定の実施形態を示してきたが、当業者は様々な変形および代替実施形態を思い付くであろう。例えば、隣接するモジュールの対向するコネクタ間の他の対称度や、対称的なモジュール間接続を確立するための他の機構（別個のコネクタプラグを設けずに、モジュール自体の壁に導電性リングを直接設けるなど）を考えることができる。多くの異なるモジュール形状に対応することができ、サポートされる異なるアプリケーションモジュールの数は、メモリモジュールおよびコントローラモジュールの容量およびデータレート、ならびに組み立て後のシステムの任意の総サイズ限界にしか制限されない。さらに所与のモジュールは、コネクタを１つだけ、または３つ以上有することもでき、そのいくつかはモジュールの、互いにある角度をなして隣接する壁に設けることもできる。したがって、本発明は、添付の特許請求の範囲に関してのみ制限されるべきである。
【図面の簡単な説明】
【００３１】
【図１】本発明による、モジュール間の電気コネクタを有する携帯用モジュール式電子システムの１実施形態の分解斜視図である。
【図２】本発明による、モジュール間の電気コネクタを有する携帯用モジュール式電子システムの別の実施形態の分解斜視図である。
【図３】柔軟性のある弾性ウェブによってバネ付勢された対向する一対のコネクタを有するアプリケーションモジュールの簡略断面図である。
【図４】図３に示したコネクタの１つの斜視図である。
【図５】コイルバネによってバネ付勢されたコネクタプラグを有するモジュールの一端の断面図である。
【図６】本発明とともに用いることができる正方形コネクタプラグの斜視図である。
【図７】本発明とともに用いることができる楕円形コネクタプラグの斜視図である。
【図８】横軸に沿って配置したモジュールを有するモジュール式電子システムの簡略化した断面図である。
【符号の説明】
【００３２】
２      メモリモジュール（携帯用モジュール）
８      コントローラモジュール（携帯用モジュール）
１０、１２    プリケーションモジュール（携帯用モジュール）
１４    連結具
２２    電気コネクタ
２２ａ、２２ｂ、２２ｃ  導電性リング
２２ｄ  中心導体
３２  ハウジング
【図１】
2004327435.tif 000003
【図２】
2004327435.tif 000004
【図３】
2004327435.tif 000005
【図４】
2004327435.tif 000006
【図５】
2004327435.tif 000007
【図６】
2004327435.tif 000008
【図７】
2004327435.tif 000009
【図８】
2004327435.tif 000010